(57)【要約】【課題】本発明は、リセット期間のスキャン電極に供給されるリセットパルスの大きさを調節してコントラスト（Contrast）特性を向上させるプラズマディスプレイ装置及びその駆動方法を提供する。【解決手段】本発明は、複数のスキャン電極を含むプラズマディスプレイパネルと、複数のスキャン電極を駆動させ、複数のスキャン電極を複数のスキャン電極群に分けて、複数のスキャン電極群のうち、少なくとも１つ以上に供給されるリセットパルスの大きさを他のスキャン電極群に供給されるリセットパルスの大きさと異なるようにするスキャン駆動部と、を含む。【選択図】図２
2006338015.tif 000002
【特許請求の範囲】
【請求項１】
複数のスキャン電極を含むプラズマディスプレイパネルと、
前記複数のスキャン電極を駆動させ、前記複数のスキャン電極を複数のスキャン電極群に分け、
前記複数のスキャン電極群のうち、少なくとも１つ以上に供給されるリセットパルスの大きさを他のスキャン電極群に供給されるリセットパルスの大きさと異なるようにするスキャン駆動部と、
を含むことを特徴とするプラズマディスプレイ装置。
【請求項２】
前記複数のスキャン電極群の各々は同一な個数のスキャン電極を含むことを特徴とする請求項１に記載のプラズマディスプレイ装置。
【請求項３】
前記複数のスキャン電極群の個数は、２個からスキャン電極の総個数間であることを特徴とする請求項１に記載のプラズマディスプレイ装置。
【請求項４】
前記複数のスキャン電極群のうち、少なくとも１つ以上に含まれるスキャン電極の個数は、他のスキャン電極群に含まれるスキャン電極の個数と相異していることを特徴とする請求項１に記載のプラズマディスプレイ装置。
【請求項５】
前記複数のスキャン電極群は第１スキャン電極群及び第２スキャン電極群を含み、
前記スキャン駆動部は第１リセット駆動部及び第２リセット駆動部を含み、
前記第１リセット駆動部はいずれか１つのサブフィールドのリセット期間のセットアップ期間で立上りランプ電圧である第１リセットパルスを前記第１スキャン電極群に供給するようにし、前記第２リセット駆動部はいずれか１つのサブフィールドのリセット期間のセットアップ期間で所定の正極性電圧である第２リセットパルスを前記第２スキャン電極群に供給するようにすることを特徴とする請求項１に記載のプラズマディスプレイ装置。
【請求項６】
前記第１リセットパルスは前記所定の正極性電圧からセットアップ電圧まで上昇し、
前記第２リセットパルスはサステイン電圧であることを特徴とする請求項５に記載のプラズマディスプレイ装置。
【請求項７】
前記いずれか１つのサブフィールドはフレームのサブフィールドのうち、加重値が最も小さなサブフィールドまたは時間的順序に従う最初のサブフィールドであることを特徴とする請求項５に記載のプラズマディスプレイ装置。
【請求項８】
前記のいずれか１つのサブフィールドを除外した残りのサブフィールドのうち、少なくとも１つ以上であるもう１つのサブフィールドのリセット期間のセットアップ期間に所定の正極性電圧が前記第１スキャン電極群及び前記第２スキャン電極群に供給されることを特徴とする請求項５に記載のプラズマディスプレイ装置。
【請求項９】
前記もう１つのサブフィールドのリセット期間のセットアップ期間に供給される前記所定の正極性電圧の維持期間は、
前記のいずれか１つのサブフィールドのリセット期間のセットアップ期間に供給される前記所定の正極性電圧の維持期間より短いことを特徴とする請求項８に記載のプラズマディスプレイ装置。
【請求項１０】
前記いずれか１つのサブフィールドのリセット期間のセットアップ期間に前記第１リセットパルスを前記第１スキャン電極群に供給後、次のフレームのサブフィールドのうち、前記いずれか１つのサブフィールドに対応するサブフィールドのリセット期間のセットアップ期間に供給されるリセットパルスは、前記第２リセットパルスであり、
前記いずれか１つのサブフィールドのリセット期間のセットアップ期間に前記第２リセットパルスを前記第２スキャン電極群に供給後、次のフレームのサブフィールドのうち、前記いずれか１つのサブフィールドに対応するサブフィールドのリセット期間のセットアップ期間に供給されるリセットパルスは、前記第１リセットパルスであることを特徴とする請求項５に記載のプラズマディスプレイ装置。
【請求項１１】
前記複数のスキャン電極群は、第１スキャン電極群、第２スキャン電極群、及び第３スキャン電極群を含み、
前記スキャン駆動部は、第１リセット駆動部、第２リセット駆動部、及び第３リセット駆動部を含み、
前記第１リセット駆動部は、いずれか１つのサブフィールドのリセット期間のセットアップ期間で所定の正極性電圧からセットアップ電圧まで上昇する第１リセットパルスを前記第１スキャン電極群に供給するようにし、
前記第２リセット駆動部は、いずれか１つのサブフィールドのリセット期間のセットアップ期間で前記所定の正極性電圧から前記セットアップ電圧より小さな電圧まで上昇し、
前記セットアップ電圧より小さな電圧を所定時間維持する第２リセットパルスを前記第２スキャン電極群に供給するようにし、
前記第３リセット駆動部は、いずれか１つのサブフィールドのリセット期間のセットアップ期間で前記所定の正極性電圧である第３リセットパルスを前記第３スキャン電極群に供給するようにすることを特徴とする請求項１に記載のプラズマディスプレイ装置。
【請求項１２】
前記いずれか１つのサブフィールドは、フレームのサブフィールドのうち、加重値が最も小さなサブフィールドまたは時間的順序に従う最初のサブフィールドであることを特徴とする請求項１１に記載のプラズマディスプレイ装置。
【請求項１３】
前記いずれか１つのサブフィールドを除外した残りのサブフィールドのうち、少なくとも１つ以上であるもう１つのサブフィールドのリセット期間のセットアップ期間に、
所定の正極性電圧が前記第１スキャン電極群、前記第２スキャン電極群、及び前記第３スキャン電極群に供給され、
前記もう１つのサブフィールドのリセット期間のセットアップ期間に供給される前記所定の正極性電圧の維持期間は、前記いずれか１つのサブフィールドのリセット期間のセットアップ期間に供給される前記所定の正極性電圧の維持期間より短いことを特徴とする請求項１１に記載のプラズマディスプレイ装置。
【請求項１４】
前記いずれか１つのサブフィールドのリセット期間のセットアップ期間に前記第１リセットパルスを前記第１スキャン電極群に供給後、次のフレームのサブフィールドのうち、
前記いずれか１つのサブフィールドに対応するサブフィールドのリセット期間のセットアップ期間に供給されるリセットパルスは前記第２リセットパルスであり、
前記第２リセットパルス供給後、次のフレームのサブフィールドのうち、前記いずれか１つのサブフィールドに対応するサブフィールドのリセット期間のセットアップ期間に供給されるリセットパルスは前記第３リセットパルスであり、
前記いずれか１つのサブフィールドのリセット期間のセットアップ期間に前記第２リセットパルスを前記第２スキャン電極群に供給後、次のフレームのサブフィールドのうち、前記いずれか１つのサブフィールドに対応するサブフィールドのリセット期間のセットアップ期間に供給されるリセットパルスは前記第３リセットパルスであり、
前記第３リセットパルス供給後、次のフレームのサブフィールドのうち、前記いずれか１つのサブフィールドに対応するサブフィールドのリセット期間のセットアップ期間に供給されるリセットパルスは前記第１リセットパルスであり、
前記いずれか１つのサブフィールドのリセット期間のセットアップ期間に前記第３リセットパルスを前記第３スキャン電極群に供給後、次のフレームのサブフィールドのうち、
前記いずれか１つのサブフィールドに対応するサブフィールドのリセット期間のセットアップ期間に供給されるリセットパルスは前記第１リセットパルスであり、
前記第１リセットパルス供給後、次のフレームのサブフィールドのうち、前記いずれか１つのサブフィールドに対応するサブフィールドのリセット期間のセットアップ期間に供給されるリセットパルスは前記第２リセットパルスであることを特徴とする請求項１１に記載のプラズマディスプレイ装置。
【請求項１５】
複数のスキャン電極を含むプラズマディスプレイ装置の駆動方法であって、
前記複数のスキャン電極を複数のスキャン電極群に分けるステップと、
前記複数のスキャン電極群のうち、少なくとも１つ以上と他のスキャン電極群に各々異なる大きさのリセットパルスを供給するステップと、
を含むことを特徴とするプラズマディスプレイ装置の駆動方法。
【請求項１６】
前記供給するステップは、いずれか１つのサブフィールドのリセット期間のセットアップ期間で立上りランプ電圧である第１リセットパルスを前記第１スキャン電極群に供給し、
いずれか１つのサブフィールドのリセット期間のセットアップ期間で所定の正極性電圧である第２リセットパルスを前記第２スキャン電極群に供給するようにすることを特徴とする請求項１５に記載のプラズマディスプレイ装置の駆動方法。
【請求項１７】
前記第１リセットパルスは、前記所定の正極性電圧からセットアップ電圧まで上昇し、
前記第２リセットパルスはサステイン電圧であることを特徴とする請求項１６に記載のプラズマディスプレイ装置の駆動方法。
【請求項１８】
前記いずれか１つのサブフィールドを除外した残りのサブフィールドのうち、少なくとも１つ以上であるもう１つのサブフィールドのリセット期間のセットアップ期間に所定の正極性電圧が前記第１スキャン電極群及び前記第２スキャン電極群に供給されることを特徴とする請求項１６に記載のプラズマディスプレイ装置の駆動方法。
【請求項１９】
前記供給するステップは、いずれか１つのサブフィールドのリセット期間のセットアップ期間で所定の正極性電圧からセットアップ電圧まで上昇する第１リセットパルスを前記第１スキャン電極群に供給し、
いずれか１つのサブフィールドのリセット期間のセットアップ期間で前記所定の正極性電圧から前記セットアップ電圧より小さな電圧まで上昇し、
前記セットアップ電圧より小さな電圧を所定時間維持する第２リセットパルスを前記第２スキャン電極群に供給し、
いずれか１つのサブフィールドのリセット期間のセットアップ期間で前記所定の正極性電圧である第３リセットパルスを前記第３スキャン電極群に供給することを特徴とする請求項１５に記載のプラズマディスプレイ装置の駆動方法。
【請求項２０】
複数のスキャン電極を含むプラズマディスプレイ装置の駆動方法であって、
前記複数のスキャン電極を奇数番目及び偶数番目のスキャン電極に分けるステップと、
奇数番目のフレームのいずれか１つのサブフィールドのリセット期間のセットアップ期間で立上りランプ電圧である第１リセットパルスを前記奇数番目のスキャン電極に供給し、所定の正極性電圧である第２リセットパルスを前記偶数番目のスキャン電極に供給するステップと、
前記奇数番目のフレームの次のフレームである偶数番目のフレームのサブフィールドのうち、前記いずれか１つのサブフィールドに対応するサブフィールドのリセット期間のセットアップ期間で前記第２リセットパルスを前記奇数番目のスキャン電極に供給し、前記第１リセットパルスを前記偶数番目のスキャン電極に供給するステップと、
を含むことを特徴とするプラズマディスプレイ装置の駆動方法。
【発明の詳細な説明】
【技術分野】
【０００１】
本発明は、プラズマディスプレイ装置及びその駆動方法に関するものである。
【背景技術】
【０００２】
一般に、プラズマディスプレイパネルは、前面パネルと後面パネルとの間に形成された隔壁が１つの単位セルをなすものであって、各セル内にはネオン（Ｎｅ）、ヘリウム（Ｈｅ）またはネオン及びヘリウムの混合気体（Ｎｅ＋Ｈｅ）のような主放電気体と少量のキセノンを含有する不活性ガスが充填されている。高周波電圧により放電される際、不活性ガスは真空紫外線（Vacuum Ultraviolet rays）を発生し、隔壁間に形成された蛍光体を発光させて画像が具現される。本発明はプラズマディスプレイパネル（Plasma Display Panel）に関し、より詳しくは、プラズマディスプレイパネルの駆動効率を高めるようにするプラズマディスプレイ装置及びその駆動方法に関する。
【０００３】
図１は、従来のプラズマディスプレイ装置において、プラズマディスプレイパネルを駆動させるための駆動波形を示す図である。
【０００４】
図１に示すように、プラズマディスプレイパネルは、全てのセルを初期化させるためのリセット期間、放電するセルを選択するためのアドレス期間、選択されたセルの放電を維持させるためのサステイン期間、及び放電されたセル内の壁電荷を消去するための消去期間に分けられて駆動される。
【０００５】
リセット期間において、セットアップ期間には全てのスキャン電極に立上りランプ波形（Ramp-up）が同時に印加される。この立上りランプ波形により全画面の放電セル内には弱い暗放電（Dark Discharge）が生じる。このセットアップ放電によりアドレス電極とサステイン電極上には正極性（positive）壁電荷が積まれることになり、スキャン電極上には負極性（negative）の壁電荷が積まれることになる。
【０００６】
セットダウン期間には立上りランプ波形が供給された後、立上りランプ波形のピーク電圧より低い正極性電圧から落ち始めて、グラウンド（ＧＮＤ）レベル電圧以下の特定の電圧レベルまで落ちる立下りランプ波形（Ramp-down）がセル内に微弱な消去放電を起こすことによって、スキャン電極に過度に形成された壁電荷を十分消去させることになる。このセットダウン放電により安定するようにアドレス放電が生じられる程度の壁電荷がセル内に均一に残留する。
【０００７】
アドレス期間には負極性スキャンパルスがスキャン電極に順次に印加されると共に、スキャンパルスに同期されてアドレス電極に正極性のデータパルスが印加される。このスキャンパルスとデータパルスの電圧差とリセット期間に生成した壁電圧が加えられながらデータパルスが印加される放電セル内にはアドレス放電が発生する。
【０００８】
アドレス放電により選択されたセル内にはサステイン電圧（Ｖｓ）が印加される際に放電が生じられるようにする程度の壁電荷が形成される。サステイン電極にはアドレス期間間にスキャン電極との電圧差を縮めてスキャン電極との誤放電が生じないように正極性電圧（Ｖｚ）が供給される。
【０００９】
サステイン期間にはスキャン電極とサステイン電極に交互にサステインパルス（Ｓｕｓ）が印加される。アドレス放電により選択されたセルは、セル内の壁電圧とサステインパルスが加えられながら毎サステインパルスが印加される度にスキャン電極とサステイン電極との間にサステイン放電、即ち、表示放電が生じることになる。
【００１０】
サステイン放電が完了した後、消去期間ではパルス幅と電圧レベルの小さな消去ランプ波形（Ramp-ers）の電圧がサステイン電極に供給されて全画面のセル内に残留する壁電荷を消去させることになる。
【００１１】
プラズマディスプレイパネルにはこのような駆動波形がフレームの毎サブフィールド毎に供給される。
【００１２】
一方、前述したリセット期間でスキャン電極に供給される立上りランプ（Ramp-Up）は、通常４００V程度の高電圧パルスであって、これによって立上りランプにより発生する放電により生成される光量が相対的に多くなる。したがって、プラズマディスプレイパネルの全ての放電セルをオフ（Off）させた状態での輝度、即ちブラック（Black）輝度が相対的に大きくなってコントラスト（Contrast）特性が悪化する。
【発明の開示】
【発明が解決しようとする課題】
【００１３】
このような問題を解決するために、本発明は、リセット期間のスキャン電極に供給されるリセットパルスの大きさを調節してコントラスト（Contrast）特性を向上させるプラズマディスプレイ装置及びその駆動方法を提供することを目的とする。
【課題を解決するための手段】
【００１４】
前記した目的を達成するための本発明の一実施形態に係るプラズマディスプレイ装置は、複数のスキャン電極を含むプラズマディスプレイパネルと、前記複数のスキャン電極を駆動させ、前記複数のスキャン電極を複数のスキャン電極群に分け、前記複数のスキャン電極群のうち、少なくとも１つ以上に供給されるリセットパルスの大きさを他のスキャン電極群に供給されるリセットパルスの大きさと異なるようにするスキャン駆動部と、を含む。
【００１５】
本発明の一実施形態に係る複数のスキャン電極を含むプラズマディスプレイ装置の駆動方法は、前記複数のスキャン電極を複数のスキャン電極群に分けるステップと、前記複数のスキャン電極群のうち、少なくとも１つ以上と他のスキャン電極群に各々異なる大きさのリセットパルスを供給するステップと、を含む。
【００１６】
本発明の他の実施形態に係る複数のスキャン電極を含むプラズマディスプレイ装置の駆動方法は、 前記複数のスキャン電極を奇数番目及び偶数番目のスキャン電極に分けるステップと、奇数番目のフレームのいずれか１つのサブフィールドのリセット期間のセットアップ期間で立上りランプ電圧である第１リセットパルスを前記奇数番目のスキャン電極に供給し、所定の正極性電圧である第２リセットパルスを前記偶数番目のスキャン電極に供給するステップと、前記奇数番目のフレームの次のフレームである偶数番目のフレームのサブフィールドのうち、前記いずれか１つのサブフィールドに対応するサブフィールドのリセット期間のセットアップ期間で前記第２リセットパルスを前記奇数番目のスキャン電極に供給し、前記第１リセットパルスを前記偶数番目のスキャン電極に供給するステップと、を含む。
【発明の効果】
【００１７】
本発明は、１つのフレームの１つ以上のサブフィールドでリセット期間のセットアップ期間に１つ以上のスキャン電極を含むスキャン電極群に供給されるリセットパルスの電圧の大きさを他のスキャン電極群と異なるようにすることによって、コントラスト特性を向上させる効果が得られる。
【発明を実施するための最良の形態】
【００１８】
以下、添付の図面を参照しつつ本発明のプラズマディスプレイ装置及びその駆動方法の実施形態を詳細に説明する。
【００１９】
図２は、本発明の一実施形態に係るプラズマディスプレイ装置を説明するための図である。
【００２０】
図２に示すように、プラズマディスプレイ装置は、複数のスキャン電極（Ｙ１乃至Ｙｎ）を含むプラズマディスプレイパネル５００及び複数のスキャン電極（Ｙ１乃至Ｙｎ）を駆動させて、複数のスキャン電極（Ｙ１乃至Ｙｎ）を複数のスキャン電極群に分けて、複数のスキャン電極群のうち、少なくとも１つ以上に供給されるリセットパルスの大きさを他のスキャン電極群に供給されるリセットパルスの大きさと異なるようにするスキャン駆動部５０３を含む。
【００２１】
プラズマディスプレイ装置は、スキャン電極（Ｙ１乃至Ｙｎ）及びサステイン電極（Ｚ）と、複数のアドレス電極（Ｘ１乃至Ｘｍ）を含むプラズマディスプレイパネル５００と、アドレス電極（Ｘ１乃至Ｘｍ）にデータを供給するためのデータ駆動部５０２と、スキャン電極（Ｙ１乃至Ｙｎ）を駆動するためのスキャン駆動部５０３と、共通電極であるサステイン電極（Ｚ）を駆動するためのサステイン駆動部５０４と、各々の駆動部５０２、５０３、５０４に必要とする駆動電圧を供給するための駆動電圧発生部５０５とを含む。
【００２２】
プラズマディスプレイパネル５００は、前面パネル（図示していない）と後面パネル（図示していない）が一定間隔を置いて合着され、多数の電極、例えば、スキャン電極（Ｙ１乃至Ｙｎ）及びサステイン電極（Ｚ）を含む維持電極が複数個形成され、またスキャン電極（Ｙ１乃至Ｙｎ）及びサステイン電極（Ｚ）を含む維持電極と交差するようにアドレス電極（Ｘ１乃至Ｘｍ）が形成される。
【００２３】
データ駆動部５０２には図示しない逆ガンマ補正回路、誤差拡散回路などにより逆ガンマ補正及び誤差拡散された後、サブフィールドマッピング回路により各サブフィールドにマッピングされたデータが供給される。
【００２４】
スキャン駆動部５０３は、リセット期間間、立上りランプ波形（Ramp-up）と立下りランプ波形（Ramp-down）をスキャン電極（Ｙ１乃至Ｙｎ）に供給する。また、スキャン駆動部５０３は、アドレス期間間、スキャン電圧（−Ｖｙ）のスキャンパルスをスキャン電極（Ｙ１乃至Ｙｎ）に順次に供給し、サステイン区間間にはサステインパルスをスキャン電極（Ｙ１乃至Ｙｎ）に供給する。
【００２５】
スキャン駆動部５０３は複数のスキャン電極を複数のスキャン電極群に分けて、リセット期間で１つ以上のスキャン電極群に供給されるリセットパルスの大きさを他のスキャン電極群と異なるようにする。
【００２６】
サステイン駆動部５０４は、アドレス期間間、サステイン電圧（Ｖｓ）のバイアス電圧をサステイン電極（Ｚ）に供給し、サステイン期間間、スキャン駆動部５０３と交互に動作してサステインパルスをサステイン電極（Ｚ）に供給することになる。
【００２７】
駆動電圧発生部５０５は、セットアップ電圧（Ｖｓｅｔｕｐ）、スキャン共通電圧（Ｖｓｃａｎ−ｃｏｍ）、スキャン電圧（−Ｖｙ）、サステイン電圧（Ｖｓ）、データ電圧（Ｖｄ）などを発生する。このような駆動電圧は、放電ガスの組成や放電セル構造によって変わることができる。
【００２８】
スキャン駆動部５０３は、第１リセット駆動部５０６と第２リセット駆動部５０７を含み、第１、２リセット駆動部５０６、５０７を制御して、第１リセット駆動部５０６はリセット期間で複数のスキャン電極群のうち、奇数番目のスキャン電極群にリセットパルスを供給するようにし、第２リセット駆動部５０７は前記奇数番目のスキャン電極群に供給されるリセットパルスと大きさの異なるリセットパルスをリセット期間に偶数番目のスキャン電極群に供給するようにする。
【００２９】
本発明の一実施形態に係るプラズマディスプレイ装置の駆動方法は、複数のスキャン電極を複数のスキャン電極群に分けて、複数のスキャン電極群のうち、少なくとも１つ以上と他のスキャン電極群に各々異なる大きさのリセットパルスを供給する。
【００３０】
図３は、プラズマディスプレイパネルにおいて、複数のスキャン電極をスキャン電極群に区分する方法の一実施形態を説明するための図である。
【００３１】
図３に示すように、プラズマディスプレイパネル６００上で、スキャン電極（Y）をＡスキャン電極群６０１、Ｂスキャン電極群６０２、Ｃスキャン電極群６０３、Ｄスキャン電極群６０４、Ｅスキャン電極群６０５、Ｆスキャン電極群６０６、Ｇスキャン電極群６０７、Ｈスキャン電極群６０８、Ｉスキャン電極群６０９及びＪスキャン電極群６１０に分ける。
【００３２】
例えば、１つのプラズマディスプレイパネル６００上に総１００個のスキャン電極が形成される場合に、Ｙ１スキャン電極からＹ１０スキャン電極までのスキャン電極をAスキャン電極群６０１に区分し、Ｙ１１スキャン電極からY２０スキャン電極までのスキャン電極をＢスキャン電極群６０２に区分し、このような方法によりＣスキャン電極群６０３、Ｄスキャン電極群６０４、Ｅスキャン電極群６０５、Ｆスキャン電極群６０６、Ｇスキャン電極群６０７、Ｈスキャン電極群６０８、Ｉスキャン電極群６０９、Ｊスキャン電極群６１０に区分する。
【００３３】
このように分けられた複数のスキャン電極群を図２のスキャン駆動部５０３が駆動させる。例えば、スキャン駆動部５０３の第１リセット駆動部５０６が複数のスキャン電極群のうち、奇数番目のスキャン電極群、即ちＡ、Ｃ、Ｅ、Ｇ、Ｉスキャン電極群６０１、６０３、６０５、６０７、６０９にリセット期間にリセットパルスを供給し、第２リセット駆動部５０７が複数のスキャン電極群のうち、偶数番目のスキャン電極群、即ちＢ、Ｄ、Ｆ、Ｈ、Ｊスキャン電極群６０２、６０４、６０６、６０８、６１０にリセット期間にリセットパルスを供給する。
【００３４】
ここで、各々のスキャン電極群は、全て同一な個数のスキャン電極を含む。スキャン電極群の個数は最小２つ以上から最大スキャン電極の総個数より少ない。
【００３５】
ここで、１つのスキャン電極群に含まれる全てのスキャン電極はスキャン順序が連続である。言い換えると、スキャン順序によって所定個数のスキャン電極を括ってスキャン電極群に設定するものである。
【００３６】
図３では、各スキャン電極群６０１、６０２、６０３、６０４、６０５、６０６、６０７、６０８、６０９、６１０に含まれたスキャン電極の個数を同一に各１０個ずつのスキャン電極を含むようにしたが、少なくとも１つ以上のスキャン電極群では含まれるスキャン電極の個数を他のスキャン電極群と異なるように設定することも可能である。そして、スキャン電極群の個数も調節可能である。
【００３７】
図４は、プラズマディスプレイパネルに形成されたスキャン電極を異なる個数のスキャン電極を含むスキャン電極群に分ける一実施形態を説明するための図である。
【００３８】
図４に示すように、プラズマディスプレイパネル７００上で、スキャン電極（Ｙ）をＡスキャン電極群７０１、Ｂスキャン電極群７０２、Ｃスキャン電極群７０３、Ｄスキャン電極群７０４、Ｅスキャン電極群７０５、Ｆスキャン電極群７０６、Ｇスキャン電極群７０７、Ｈスキャン電極群７０８及びＩスキャン電極群７０９に分けて、かつ、このようなスキャン電極群７０１、７０２、７０３、７０４、７０５、７０６、７０７、７０８、７０９のうち、１つ以上は他のスキャン電極群と相異している個数のスキャン電極を含むようにする。
【００３９】
１つのスキャン電極群に含まれる全てのスキャン電極はスキャン順序が連続である。言い換えると、スキャン順序によって所定個数のスキャン電極を括ってスキャン電極群に設定するものである。
【００４０】
このように分けられた複数のスキャン電極群を図２のスキャン駆動部５０３が駆動させる。例えば、スキャン駆動部５０３の第１リセット駆動部５０６が複数のスキャン電極群のうち、奇数番目のスキャン電極群、即ちＡ、Ｃ、Ｅ、Ｇ、Ｉスキャン電極群７０１、７０３、７０５、７０７、７０９にリセット期間にリセットパルスを供給し、第２リセット駆動部５０７が複数のスキャン電極群のうち、偶数番目のスキャン電極群、即ちＢ、Ｄ、Ｆ、Ｈスキャン電極群７０２、７０４、７０６、７０８にリセット期間にリセットパルスを供給する。
【００４１】
図５は、プラズマディスプレイパネルに形成されたスキャン電極を各々１つずつのスキャン電極を含むスキャン電極群に分ける一実施形態を説明するための図である。
【００４２】
図５に示すように、各々のスキャン電極群が各々１つずつのスキャン電極を含む。このような複数のスキャン電極群を図２のスキャン駆動部５０３が駆動させる。例えば、スキャン駆動部５０３の第１リセット駆動部５０６が複数のスキャン電極群のうち、奇数番目のスキャン電極群にリセットパルスを供給し、第２リセット駆動部５０７が複数のスキャン電極群のうち、偶数番目のスキャン電極群にリセットパルスを供給する。
【００４３】
図６は、本発明の一実施形態に係るプラズマディスプレイ装置の駆動方法を説明するための図である。
【００４４】
図６に示すように、図２のプラズマディスプレイ装置において、複数のスキャン電極群は第１スキャン電極群（Ｙａ）及び第２スキャン電極群（Ｙｂ）を含み、スキャン駆動部５０３は第１リセット駆動部５０６及び第２リセット駆動部５０７を含み、第１リセット駆動部５０６はいずれか１つのサブフィールドのリセット期間のセットアップ期間で立上りランプ電圧である第１リセットパルスを第１スキャン電極群（Ｙａ）に供給するようにし、第２リセット駆動部５０７はいずれか１つのサブフィールドのリセット期間のセットアップ期間で所定の正極性電圧である第２リセットパルスを第２スキャン電極群（Ｙｂ）に供給するようにする。
【００４５】
第１リセットパルスは所定の正極性電圧からセットアップ電圧まで上昇し、第２リセットパルスはサステイン電圧であることが可能である。
【００４６】
いずれか１つのサブフィールドは、フレームのサブフィールドのうち、加重値が最も小さなサブフィールド、または時間的順序に従う最初のサブフィールドであることが可能である。
【００４７】
いずれか１つのサブフィールドを除外した残りのサブフィールドのうち、少なくとも１つ以上であるもう１つのサブフィールドのリセット期間のセットアップ期間に所定の正極性電圧が第１スキャン電極群（Ｙａ）及び第２スキャン電極群（Ｙｂ）に供給される。
【００４８】
もう１つのサブフィールドのリセット期間のセットアップ期間に供給される所定の正極性電圧の維持期間は、いずれか１つのサブフィールドのリセット期間のセットアップ期間に供給される所定の正極性電圧の維持期間より短い。
【００４９】
このように設定する理由は、加重値が低くて、低階調を具現する第１サブフィールドでは相対的に放電が不安定になる可能性が大きいため、安定した放電のために、リセットパルスのサステイン電圧（Ｖｓ）の維持期間を長くして放電セル内の壁電荷の分布をより均一にするためである。
【００５０】
結局、第１サブフィールドを除外した残りのサブフィールドでは、リセットパルスのサステイン電圧（Ｖｓ）の維持期間が短くても安定した放電が確保できるのである。
【００５１】
このように、フレームのサブフィールドのうち、１つのサブフィールドでのみリセット期間のセットアップ期間で立上りランプを含むリセットパルスが供給されるため、１つのフレーム内での全立上りランプの個数が減少することになって、コントラスト（Contrast）特性が向上するものである。
【００５２】
第１リセット駆動部５０６と第２リセット駆動部５０７は、同一なスキャン電極群に含まれた全てのスキャン電極にはリセット期間で同一なリセットパルスが供給されるようにすることが好ましい。
【００５３】
本発明の一実施形態に係るプラズマディスプレイ装置の駆動方法は、いずれか１つのサブフィールドのリセット期間のセットアップ期間で立上りランプ電圧である第１リセットパルスを第１スキャン電極群に供給し、いずれか１つのサブフィールドのリセット期間のセットアップ期間で所定の正極性電圧である第２リセットパルスを前記第２スキャン電極群に供給する。
【００５４】
前記第１リセットパルスは、所定の正極性電圧からセットアップ電圧まで上昇し、第２リセットパルスはサステイン電圧である。
【００５５】
前記のいずれか１つのサブフィールドを除外した残りのサブフィールドのうち、少なくとも１つ以上であるもう１つのサブフィールドのリセット期間のセットアップ期間に所定の正極性電圧が第１スキャン電極群及び第２スキャン電極群に供給される。
【００５６】
図７は、本発明の一実施形態に係るプラズマディスプレイ装置の駆動方法において、１つのスキャン電極群に供給されるリセットパルスのフレーム間の差を説明するための図である。
【００５７】
図７に示すように、いずれか１つのサブフィールドのリセット期間のセットアップ期間に第１リセットパルスを第１スキャン電極群（Ｙａ）に供給後、次のフレームのサブフィールドのうち、いずれか１つのサブフィールドに対応するサブフィールドのリセット期間のセットアップ期間に供給されるリセットパルスは第２リセットパルスであり、いずれか１つのサブフィールドのリセット期間のセットアップ期間に第２リセットパルスを第２スキャン電極群（Ｙｂ）に供給後、次のフレームのサブフィールドのうち、いずれか１つのサブフィールドに対応するサブフィールドのリセット期間のセットアップ期間に供給されるリセットパルスは第１リセットパルスである。
【００５８】
図２の第１リセット駆動部５０６が１つのフレームのサブフィールドのうち、加重値が最も小さな最初のサブフィールドで第１スキャン電極群（Ｙａ）に第１リセットパルスを供給したならば、その次のフレームでは加重値が最も小さな最初のサブフィールドではリセット期間のセットアップ期間で第２リセットパルスを供給することが可能である。
【００５９】
第１スキャン電極群（Ｙａ）にリセット期間のセットアップ期間で供給されるリセットパルスと第２スキャン電極群（Ｙｂ）にリセット期間のセットアップ期間で供給されるリセットパルスは、１つのフレーム毎に第１スキャン電極群（Ｙａ）と第２スキャン電極群（Ｙｂ）に交互に供給されるものである。
【００６０】
仮りに、第１スキャン電極群（Ｙａ）に第１リセットパルスを続けて供給し、第２スキャン電極群（Ｙｂ）には第２リセットパルスを続けて供給するならば、立上りランプが続けて供給される第１スキャン電極群（Ｙａ）に比べて、立上りランプが供給されない第２スキャン電極群（Ｙｂ）で放電が相対的に不安定になり、これによって、第１スキャン電極群（Ｙａ）と第２スキャン電極群（Ｙｂ）での輝度が変わって画質が悪化する。
【００６１】
本発明の一実施形態に係るプラズマディスプレイ装置の駆動方法は、複数のスキャン電極を奇数番目及び偶数番目のスキャン電極に分けて、奇数番目のフレームのいずれか１つのサブフィールドのリセット期間のセットアップ期間で立上りランプ電圧である第１リセットパルスを奇数番目のスキャン電極に供給し、所定の正極性電圧である第２リセットパルスを偶数番目のスキャン電極に供給する。奇数番目のフレームの次のフレームである偶数番目のフレームのサブフィールドのうち、いずれか１つのサブフィールドに対応するサブフィールドのリセット期間のセットアップ期間で第２リセットパルスを奇数番目のスキャン電極に供給し、第１リセットパルスを偶数番目のスキャン電極に供給する。
【００６２】
図８は、本発明の一実施形態に係るプラズマディスプレイ装置を説明するための図である。
【００６３】
図８に示すように、プラズマディスプレイ装置において、複数のスキャン電極群は、第１スキャン電極群、第２スキャン電極群、及び第３スキャン電極群を含み、スキャン駆動部１１０３は、第１リセット駆動部１１０６、第２リセット駆動部１１０７、及び第３リセット駆動部１１０８を含む。
【００６４】
第１リセット駆動部１１０６は、いずれか１つのサブフィールドのリセット期間のセットアップ期間で所定の正極性電圧からセットアップ電圧まで上昇する第１リセットパルスを第１スキャン電極群に供給するようにし、第２リセット駆動部１１０７は、いずれか１つのサブフィールドのリセット期間のセットアップ期間で所定の正極性電圧からセットアップ電圧より小さな電圧まで上昇し、セットアップ電圧より小さな電圧を所定時間維持する第２リセットパルスを前記第２スキャン電極群に供給するようにし、第３リセット駆動部１１０８は、いずれか１つのサブフィールドのリセット期間のセットアップ期間で所定の正極性電圧である第３リセットパルスを第３スキャン電極群に供給するようにする。
【００６５】
前記のいずれか１つのサブフィールドは、フレームのサブフィールドのうち、加重値が最も小さなサブフィールドまたは時間的順序に従う最初のサブフィールドであることが可能である。
【００６６】
前記のいずれか１つのサブフィールドを除外した残りのサブフィールドのうち、少なくとも１つ以上であるもう１つのサブフィールドのリセット期間のセットアップ期間に所定の正極性電圧が第１スキャン電極群、第２スキャン電極群、及び第３スキャン電極群に供給され、もう１つのサブフィールドのリセット期間のセットアップ期間に供給される前記所定の正極性電圧の維持期間は、いずれか１つのサブフィールドのリセット期間のセットアップ期間に供給される所定の正極性電圧の維持期間より短い。
【００６７】
リセット駆動部１１０６、１１０７、１１０８の個数が３個の場合のみを図示したが、これとは異に、４個、５個、６個等、３個以上の全ての場合が可能である。
【００６８】
図９は、図８の本発明のプラズマディスプレイ装置において、プラズマディスプレイパネルを駆動させるための駆動方法の一実施形態を説明するための図である。
【００６９】
図９に示すように、プラズマディスプレイ装置の駆動方法は、いずれか１つのサブフィールドのリセット期間のセットアップ期間で第１リセットパルスを前記第１スキャン電極群に供給し、いずれか１つのサブフィールドのリセット期間のセットアップ期間で第２リセットパルスを第２スキャン電極群に供給し、いずれか１つのサブフィールドのリセット期間のセットアップ期間で第３リセットパルスを第３スキャン電極群に供給する。
【００７０】
このように、フレームのサブフィールドのうち、１つのサブフィールドでのみ選択された所定個数のスキャン電極群にリセット期間のセットアップ期間で立上りランプを含むリセットパルスが供給されるため、１つのフレーム内での全立上りランプの個数が減少することになって、コントラスト（Contrast）特性が向上する。
【００７１】
図９の駆動波形は、第１スキャン電極群（Ｙａ）には第１リセットパルスが供給され、第３スキャン電極群（Ｙｃ）には第３リセットパルスが供給され、第１スキャン電極群（Ｙａ）と第３スキャン電極群（Ｙｃ）との間に位置する第２スキャン電極群（Ｙｂ）には第１スキャン電極群（Ｙａ）に供給される立上りランプより少なくて、かつ、第３スキャン電極群（Ｙｃ）に供給される正極性電圧より大きい電圧のリセットパルスが供給されるため、第１スキャン電極群（Ｙａ）と第２スキャン電極群（Ｙｂ）との間の輝度差が図６での駆動波形における第１スキャン電極群（Ｙａ）と第２スキャン電極群（Ｙｂ）との間の輝度差より小さくて、より画質が改善される効果がある。
【００７２】
ここで、好ましくは、前述した第１リセット駆動部１１０６、第２リセット駆動部１１０７、及び第３リセット駆動部１１０８は、同一なスキャン電極群に含まれた全てのスキャン電極にはリセット期間で同一なリセットパルスが供給されるようにすることが好ましい。
【００７３】
図１０は、本発明の一実施形態に係るプラズマディスプレイ装置の駆動方法において、１つのスキャン電極群に供給されるリセットパルスのフレーム間の差を説明するための図である。
【００７４】
図１０に示すように、いずれか１つのサブフィールドのリセット期間のセットアップ期間に第１リセットパルスを第１スキャン電極群に供給後、次のフレームのサブフィールドのうち、いずれか１つのサブフィールドに対応するサブフィールドのリセット期間のセットアップ期間に供給されるリセットパルスは第２リセットパルスであり、第２リセットパルス供給後、次のフレームのサブフィールドのうち、前記いずれか１つのサブフィールドに対応するサブフィールドのリセット期間のセットアップ期間に供給されるリセットパルスは第３リセットパルスである。
【００７５】
いずれか１つのサブフィールドのリセット期間のセットアップ期間に、前記第２リセットパルスを第２スキャン電極群に供給後、次のフレームのサブフィールドのうち、いずれか１つのサブフィールドに対応するサブフィールドのリセット期間のセットアップ期間に供給されるリセットパルスは第３リセットパルスであり、第３リセットパルス供給後、次のフレームのサブフィールドのうち、いずれか１つのサブフィールドに対応するサブフィールドのリセット期間のセットアップ期間に供給されるリセットパルスは第１リセットパルスである。
【００７６】
いずれか１つのサブフィールドのリセット期間のセットアップ期間に第３リセットパルスを第３スキャン電極群に供給後、次のフレームのサブフィールドのうち、いずれか１つのサブフィールドに対応するサブフィールドのリセット期間のセットアップ期間に供給されるリセットパルスは第１リセットパルスであり、第１リセットパルス供給後、次のフレームのサブフィールドのうち、いずれか１つのサブフィールドに対応するサブフィールドのリセット期間のセットアップ期間に供給されるリセットパルスは第２リセットパルスである。
【００７７】
図１０のように、第１スキャン電極群（Ｙａ）にリセット期間のセットアップ期間で供給されるリセットパルスと、第２スキャン電極群（Ｙｂ）にリセット期間のセットアップ期間で供給されるリセットパルスと、第３スキャン電極群（Ｙｃ）にリセット期間のセットアップ期間で供給されるリセットパルスとは、１つのフレーム毎に第１スキャン電極群（Ｙａ）、第２スキャン電極群及び第３スキャン電極群（Ｙｃ）に交互に供給されるものである。
【００７８】
以上のように、本発明に係るプラズマディスプレイ装置及びその駆動方法を例示した図面を参照して説明したが、本発明は明細書に開示された実施形態と図面により限るのでなく、技術思想が保護される範囲内で応用されることができる。
【図面の簡単な説明】
【００７９】
【図１】従来のプラズマディスプレイ装置において、プラズマディスプレイパネルを駆動させるための駆動波形を示す図である。
【図２】本発明の一実施形態に係るプラズマディスプレイ装置を説明するための図である。
【図３】プラズマディスプレイパネルにおいて、複数のスキャン電極をスキャン電極群に区分する方法の一実施形態を説明するための図である。
【図４】プラズマディスプレイパネルに形成されたスキャン電極を異なる個数のスキャン電極を含むスキャン電極群に分ける一実施形態を説明するための図である。
【図５】プラズマディスプレイパネルに形成されたスキャン電極を各々１つずつのスキャン電極を含むスキャン電極群に分ける一実施形態を説明するための図である。
【図６】本発明の一実施形態に係るプラズマディスプレイ装置の駆動方法を説明するための図である。
【図７】本発明の一実施形態に係るプラズマディスプレイ装置の駆動方法において、１つのスキャン電極群に供給されるリセットパルスのフレーム間の差を説明するための図である。
【図８】本発明の一実施形態に係るプラズマディスプレイ装置を説明するための図である。
【図９】図８の本発明のプラズマディスプレイ装置において、プラズマディスプレイパネルを駆動させるための駆動方法の一実施形態を説明するための図である。
【図１０】本発明の一実施形態に係るプラズマディスプレイ装置の駆動方法において、１つのスキャン電極群に供給されるリセットパルスのフレーム間の差を説明するための図である。
【符号の説明】
【００８０】
５００、６００、７００    プラズマディスプレイパネル
５０２    データ駆動部
５０３、１１０３    スキャン駆動部
５０４    サステイン駆動部５０４
５０５    駆動電圧発生部
５０６、１１０６    第１リセット駆動部
５０７、１１０７    第２リセット駆動部
１１０８    第３リセット駆動部
【図１】
2006338015.tif 000003
【図２】
2006338015.tif 000004
【図３】
2006338015.tif 000005
【図４】
2006338015.tif 000006
【図５】
2006338015.tif 000007
【図６】
2006338015.tif 000008
【図７】
2006338015.tif 000009
【図８】
2006338015.tif 000010
【図９】
2006338015.tif 000011
【図１０】
2006338015.tif 000012